(57)【要約】【課題】本考案は、コストの低減を図った補正下着を提供することを目的とする。【解決手段】補正下着１は、前身頃３と、該前身頃３に連続された後身頃４と、を備えて筒状に構成されて、着用者の体形を補正するためのものであって、前身頃３の上端縁３０の少なくとも一部が、着用者のアンダーバストに沿って設けられている。これによれば、左右の乳房を覆うカップ部が別部材とされるから、カップ部のサイズ展開をする必要がなくなって、コストの低減を図ることができる。【選択図】図１
0003217244.tif 000002
【実用新案登録請求の範囲】
【請求項１】
前身頃と、該前身頃に連続された後身頃と、を備えて筒状に構成されて、着用者の体形を補正するための補正下着であって、
前記前身頃の上端縁の少なくとも一部が、着用者のアンダーバストに沿って設けられていることを特徴とする補正下着。
【請求項２】
前記前身頃の上端縁が、着用者のアンダーバストに沿って設けられた上縁部本体と、該上縁部本体の両側に連続される一対の脇支持部と、を備え、
一端が各前記脇支持部の前記上縁部本体側の端部に連結され、他端が前記後身頃の上端縁に連結される一対の肩紐と、
前記前身頃の下端の中心部と前記後身頃の下端の中心部と、を係脱可能とする係脱部材と、を備えていることを特徴とする請求項１に記載の補正下着。
【考案の詳細な説明】
【技術分野】
【０００１】
本考案は、補正下着に関する。
【背景技術】
【０００２】
一般に、ボディラインを整えるための補正下着が知られている（例えば、特許文献１参照）。特許文献１に開示された従来の補正下着は、内側に、左右の乳房を覆う一対のカップ部が設けられている。
【先行技術文献】
【特許文献】
【０００３】
【特許文献１】特開２０１０−１９６１９５号公報
【考案の概要】
【考案が解決しようとする課題】
【０００４】
しかしながら、特許文献１に開示された従来の補正下着は、内側に、左右の乳房を覆う一対のカップ部が設けられているため、アンダーバストのサイズ毎に、カップ部の大きさに応じた種類の数だけサイズ展開しなければならなかった。このため、コスト高だった。
【０００５】
本考案は、コストの低減を図った補正下着を提供することを目的とする。
【課題を解決するための手段】
【０００６】
請求項１に記載の本考案は、前身頃と、該前身頃に連続された後身頃と、を備えて筒状に構成されて、着用者の体形を補正するための補正下着であって、前記前身頃の上端縁の少なくとも一部が、着用者のアンダーバストに沿って設けられていることを特徴とする補正下着である。
【０００７】
請求項２に記載の本考案は、請求項１記載の本考案において、前記前身頃の上端縁が、着用者のアンダーバストに沿って設けられた上縁部本体と、該上縁部本体の両側に連続される一対の脇支持部と、を備え、一端が各前記脇支持部の前記上縁部本体側の端部に連結され、他端が前記後身頃の上端縁に連結される一対の肩紐と、前記前身頃の下端の中心部と、前記後身頃の下端の中心部と、を係脱可能とする係脱部材と、を備えていることが好ましい。
【考案の効果】
【０００８】
請求項１に記載の本考案によれば、前身頃と、該前身頃に連続された後身頃と、を備えて筒状に構成されて、着用者の体形を補正するための補正下着であって、前記前身頃の上端縁が、着用者のアンダーバストに沿って設けられている。これによれば、左右の乳房を覆うカップ部が別部材とされるから、アンダーバストのサイズ毎にサイズ展開すればよく、カップ部のサイズ展開をする必要がなくなり、コストの低減を図ることができる。
【０００９】
請求項２に記載の本考案によれば、前身頃の上端縁が、着用者のアンダーバストに沿って設けられた上縁部本体と、該上縁部本体の両側に連続される一対の脇支持部と、を備え、一端が各脇支持部の上縁部本体側の端部に連結され、他端が後身頃の上端縁に連結される一対の肩紐と、前身頃の下端の中心部と、後身頃の下端の中心部と、を係脱可能とする係脱部材と、を備えていることが好ましい。これによれば、補正下着が、さらに一対の肩紐及び係脱部材を備えていることで、着用者の上下方向の適切な位置に補正下着が位置される。つまり、補正下着は、前身頃の上端縁が、着用者のアンダーバストに沿って着用されるから、着用者の体型の適切な位置を適宜、補正することができる。
【図面の簡単な説明】
【００１０】
【図１】本考案の一実施の形態にかかる補正下着を示す斜視図である。
【図２】図１に示された補正下着の正面図である。
【考案を実施するための形態】
【００１１】
以下、本考案の例示的一態様である実施形態にかかる補正下着としてのボディスーツを図１、図２を参照して説明する。図１は、本考案の一実施の形態にかかるボディースーツ１（補正下着）を示す斜視図である。本実施形態のボディースーツ１は、前身頃３の上端縁３０が、着用者のアンダーバスト（不図示）に沿って設けられている。即ち、ボディースーツ１は、一対のカップ部（不図示）を含みつつ左右の乳房を覆って支持するブラジャー部（不図示）を有していない。ここで、通常、ボディースーツ１は、アンダーバスト（不図示）のサイズ毎に、カップ部の大きさに応じた種類の数だけサイズ展開する必要があったが、本実施形態のボディースーツ１が、ブラジャー部を有していないから、カップ部のサイズ展開をする必要がない。本実施形態では、アンダーバストとは、乳房の付け根部分において水平に延在する部分を意味する。
【００１２】
ボディースーツ１は、ナイロン及びポリウレタン等で構成された布地を用いて成形されている。ボディースーツ１は、図１、図２に示すように、筒状の身頃部２と、一対の肩紐２１、２１と、を有して構成されている。身頃部２は、胴体の正面側を覆う前身頃３と、胴体の背面側を覆う後身頃４と、を備え、前身頃３の後述する前中心線３Ｐの下端３Ｐｂと後身頃４の後述する背中心線４Ｐ（図２に示す）の下端４Ｐｂとがクロッチ部５（係脱部材）によって係脱可能とされている。
【００１３】
ここで、図１では、筒状の身頃部２の軸方向を矢印Ｙで示し、筒状の身頃部２の周方向を矢印Ｘで示す。また、本実施形態では、矢印Ｙ方向を上下方向と記し、矢印Ｘ方向を左右方向と記す場合がある。また、本実施形態において、前中心線３Ｐとは、前身頃３の左右の中心部において上下に延在する仮想線分のことであり、背中心線４Ｐとは、後身頃４の左右の中心部において上下に延在する仮想線分のことである。
【００１４】
このような身頃部２には、前身頃３の前中心線３Ｐを含む部分に設けられてレースによって装飾された装飾部２２と、着用者の腹部及び腰部を支持するガードル部２３と、ガードル部２３の上方に連続されて、着用者のウエスト及び背中を支持するウエスト部２４と、が設けられている。装飾部２２は、前身頃３の前中心線３Ｐの上端３Ｐｔから下端３Ｐｂまで延在して設けられ、矢印Ｘ方向の所定の幅寸法を有して形成されている。
【００１５】
前身頃３の上端縁３０は、前中心線３Ｐを挟んで矢印Ｘ方向の両側に設けられる一対の凹状部３１、３１（上縁部本体）と、一対の凹状部３１、３１の前中心線３Ｐから離れた側に連続される一対の脇支持部３２、３２と、を有して構成されている。
【００１６】
一対の凹状部３１、３１は、図２に示すように、前中心線３Ｐの上端３Ｐｔが最も上方に位置し、前中心線３Ｐから矢印Ｘ方向に離れるにしたがって徐々に下方に向けて延在する円弧の曲線から形成されている。一対の凹状部３１、３１は、着用時に、着用者のアンダーバストに沿っている。即ち、本実施形態のボディースーツ１は、着用時に左右の乳房が露出されている。ここで、例えば、本実施形態のボディースーツ１は、該ボディースーツ１とは別部材のブラジャーを装着して用いてもよい。
【００１７】
一対の脇支持部３２、３２は、図２に示すように、各凹状部３１の前中心線３Ｐから離れた側に連続されるとともに上方に延在する前側第１延在部３２０と、前側第１延在部３２０の前中心線３Ｐから離れた側において矢印Ｘ方向に延在する前側第２延在部３２１と、を有して略Ｌ字状に形成されている。
【００１８】
後身頃４の上端縁４０は、図１、図２に示すように、背中心線４Ｐを挟んで矢印Ｘ方向の両側に設けられる一対の後側第１延在部４１と、後側第１延在部４１の背中心線４Ｐから離れた側において矢印Ｘ方向に延在する一対の後側第２延在部４２と、を有して構成されている。後身頃４の上端縁４０は、境界部４３が、後身頃４の上端縁４０において最も上方に位置するように形成されている。
【００１９】
一対の肩紐２１、２１は、図１、図２に示すように、それぞれ、前端部２１Ａが、前身頃３の上端縁３０において脇支持部３２の凹状部３１側の端部に支持され、後端部２１Ｂが、後側第１延在部４１と後側第２延在部４２との境界部４３に支持されている。また、各肩紐２１は、不図示のアジャスター部を有して長さ調節が可能に設けられている。また、本実施形態の各肩紐２１は、さらに着脱部材６を有して、身頃部２に対して取付け、取り外し可能に設けられている。
【００２０】
上述した実施形態によれば、前身頃３と、該前身頃３に連続された後身頃４と、を備えて筒状に構成されて、着用者の体形を補正するためのボディースーツ１（補正下着）であって、前身頃３の上端縁３０の一対の凹状部３１（前身頃の上端縁の一部、上縁部本体）が、着用者のアンダーバストに沿って設けられている。これによれば、アンダーバストのサイズ毎にサイズ展開すればよく、カップ部のサイズ展開をする必要がなくなり、コストの低減を図ることができる。
【００２１】
また、前身頃３の上端縁３０が、着用者のアンダーバストに沿って設けられた一対の凹状部３１、３１（上縁部本体）と、該一対の凹状部３１、３１の両側に連続される一対の脇支持部３２、３２と、を備え、前端部２１Ａ（一端）が各脇支持部３２の凹状部３１側の端部に連結され、後端部２１Ｂ（他端）が後身頃４の上端縁４０に連結される一対の肩紐２１、２１と、前中心線３Ｐの下端３Ｐｂ（前身頃の下端の中心部）と、背中心４Ｐの下端４Ｐｂ（後身頃の下端の中心部）と、を係脱可能とするクロッチ部５（係脱部材）と、を備えている。これによれば、ボディースーツ１（補正下着）が、一対の肩紐２１、２１及びクロッチ部５を備えていることで、着用者の上下方向の適切な位置にボディースーツ１が位置される。つまり、ボディースーツ１は、前身頃３の上端縁３０が、着用者のアンダーバストに沿って安定した状態で着用されるから、着用者の体型の適切な位置を適宜、補正することができる。
【００２２】
なお、本実施形態では、各肩紐２１は、着脱部材６を有して、身頃部２に対して取付け、取り外し可能に設けられているが、本考案はこれに限定されるものではない。各肩紐２１は、身頃部２に直接固定されていてもよい。その場合には着脱部材は省略してもよい。或いは、各肩紐２１自体を省略してもよい。
【００２３】
また、上述した実施形態では、前身頃３の上端縁３０の一対の凹状部３１（前身頃の上端縁の一部、上縁部本体）が、着用者のアンダーバストに沿って設けられているが、本考案はこれに限定されるものではない。前身頃３の上端縁３０は、全体が着用者のアンダーバストに沿って設けられていてもよい。
【００２４】
また、上述した実施形態では、着用者の腹部及び腰部を支持するガードル部２３と、ガードル部２３の上方に連続されて、着用者のウエスト及び背中を支持するウエスト部２４と、が設けられているが本考案はこれに限定されるものではない。本考案の補正下着は、ウエスト及び背中を支持するウエスト部２４を有して構成されていてもよく、その場合には、ガードル部２３やクロッチ部５は省略してもよい。
【００２５】
前述した各実施形態は本考案の好ましい形態を示したに過ぎず、本考案は、これら実施形態に限定されるものではない。即ち、当業者は、従来公知の知見に従い、本考案の骨子を逸脱しない範囲で種々改変して実施することができる。かかる改変によってもなお本考案の補正下着の構成を具備する限り、勿論、本考案の範疇に含まれるものである。
【符号の説明】
【００２６】
１        ボディースーツ１（補正下着）
３        前身頃
４        後身頃
５        クロッチ部（係脱部材）
２１      一対の肩紐
２１Ａ    前端部（一端）
２１Ｂ    後端部（他端）
３０      前身頃の上端縁
３１      一対の凹状部（前身頃の上端縁の一部、上縁部本体）
３２      一対の脇支持部
４０      後身頃の上端縁
３Ｐｂ    前中心線の下端（前身頃の下端の中心部）
４Ｐｂ    後中心線の下端（後身頃の下端の中心部）
【図１】
0003217244.tif 000003
【図２】
0003217244.tif 000004